(57)【要約】【課題】患者の薬に関する情報を簡単かつ確実に記憶したり、取得したりできるようにする。【解決手段】診察券１３のＣＰＵ７２は、アンテナ６２および変復調部７１を介して、診察券管理システムのリーダライタから送信された処方箋情報および調剤履歴を含む患者情報を受信し、ＥＥＰＲＯＭ７３に記録させる。ＣＰＵ７２は、診察券管理システムから、患者情報の送信要求を受信した場合、ＥＥＰＲＯＭ７３に記録されている患者情報を読み込み、変復調部７１およびアンテナ６２を介して、診察券管理システムのリーダライタに患者情報を送信する。本発明は、病院の診察券に適用することができる。【選択図】図４
2005266860.tif 000002
【特許請求の範囲】
【請求項１】
医師が患者に対して治療上調剤して投与する必要があると認めた薬剤を示す処方箋情報および前記処方箋情報に基づいて前記患者に対して調剤された薬剤の履歴を示す調剤履歴情報を含む患者情報を情報処理装置と送受信する送受信手段と、
前記患者情報を記憶する記憶手段と、
前記送受信手段により前記情報処理装置から受信した制御情報に従って、前記送受信手段による前記患者情報の送受信、および前記記憶手段による前記患者情報の記憶を制御する制御手段と
を含むことを特徴とする医療情報記憶装置。
【請求項２】
前記処方箋情報は、１回の調剤における前記薬剤の量の制限を示す制限情報を含む
ことを特徴とする請求項１に記載の医療情報記憶装置。
【請求項３】
前記医療情報記憶装置は、ＲＦＩＤ（Radio Frequency Identification）タグまたは接触式ICカードにより構成される
ことを特徴とする請求項１に記載の医療情報記憶装置。
【請求項４】
前記医療情報記憶装置は、病院の診察券である
ことを特徴とする請求項１に記載の医療情報記憶装置。
【請求項５】
患者が所有する医療情報記憶装置から、医師が前記患者に対して治療上調剤して投与する必要があると認めた薬剤を示す処方箋情報および前記処方箋情報に基づいて前記患者に対して調剤された薬剤の履歴を示す調剤履歴情報を含む患者情報を取得する取得手段と、
取得した前記患者情報の表示を制御する表示制御手段と
を含むことを特徴とする医療情報処理装置。
【請求項６】
前記処方箋情報は、１回の調剤における前記薬剤の量の制限を示す制限情報を含む
ことを特徴とする請求項５に記載の医療情報処理装置。
【請求項７】
取得した前記患者情報に基づいて、前記患者に対して調剤する前記薬剤の量を算出する算出手段をさらに含む
ことを特徴とする請求項５に記載の医療情報処理装置。
【請求項８】
前記処方箋情報および前記調剤履歴情報のうち少なくとも一方の前記医療情報記憶装置への書き込みを制御する書き込み制御手段をさらに含む
ことを特徴とする請求項５に記載の医療情報処理装置。
【請求項９】
患者が所有する医療情報記憶装置から、医師が前記患者に対して治療上調剤して投与する必要があると認めた薬剤を示す処方箋情報および前記処方箋情報に基づいて前記患者に対して調剤された薬剤の履歴を示す調剤履歴情報を含む患者情報を取得する取得ステップと、
取得した前記患者情報の表示を制御する表示制御ステップと
を含むことを特徴とする医療情報処理方法。
【請求項１０】
患者が所有する医療情報記憶装置から、医師が前記患者に対して治療上調剤して投与する必要があると認めた薬剤を示す処方箋情報および前記処方箋情報に基づいて前記患者に対して調剤された薬剤の履歴を示す調剤履歴情報を含む患者情報を取得する取得ステップと、
取得した前記患者情報の表示を制御する表示制御ステップと
を含むことを特徴とする医療情報処理をコンピュータに実行させるプログラムが記録されている記録媒体。
【請求項１１】
医療情報処理をコンピュータに行なわせるプログラムにおいて、
患者が所有する医療情報記憶装置から、医師が前記患者に対して治療上調剤して投与する必要があると認めた薬剤を示す処方箋情報および前記処方箋情報に基づいて前記患者に対して調剤された薬剤の履歴を示す調剤履歴情報を含む患者情報を取得する取得ステップと、
取得した前記患者情報の表示を制御する表示制御ステップと
を含むことを特徴とするプログラム。
【発明の詳細な説明】
【技術分野】
【０００１】
本発明は、医療情報記憶装置、医療情報処理装置および方法、記録媒体、並びにプログラムに関し、特に、患者の薬に関する情報を記憶したり、取得したりできるようにした医療情報記憶装置、医療情報処理装置および方法、記録媒体、並びにプログラムに関する。
【背景技術】
【０００２】
患者が病院で診察を受けたとき、診察した医師は、治療上薬剤を調剤して投与する必要があると認めた場合、その薬剤を示す処方箋を交付する。処方箋は、薬剤の名前、用法、用量などが紙に記載されたものが一般的である。患者は、その処方箋を薬局に持って行き、薬局の薬剤師は、その処方箋に基づいて、薬剤を調剤して、患者に販売する。そして、患者は、医師の診察または薬の服用の継続が必要であると判断した場合、再度病院で診察を受け、その診察結果に基づいて、新しい処方箋を交付してもらう。
【０００３】
処方箋や薬剤に関する情報を管理するシステムとして、RFIDタグに処方箋データを書き込み、調剤時にRFIDタグから処方箋データを読み取り、調合する薬剤の情報を出力する薬剤調合管理システムが提案されている（例えば、特許文献１）
【０００４】
また、患者の情報を書き込んだRFIDメディアを患者自身や患者のベッドなどに取り付け、投与する薬剤に患者の情報と薬剤に関する情報を書き込んだICラベルを貼付し、投薬時にRFIDメディアの情報とICラベルの情報を照合することにより、誤投薬の発生を防止する医療ミス防止システムが提案されている（例えば、特許文献２）。
【０００５】
さらに、患者の処方箋情報を処方箋IDとともにサーバで管理するとともに、電子化した診察券に処方箋IDを記録し、診察券に記録された処方箋IDに基づいて患者の処方箋情報をサーバから取得する医療サービス提供システムが提案されている（例えば、特許文献３）。
【０００６】
また、予約、診療、検査、医療処置、院内調剤、薬剤の払い出し、会計処理などの患者に関する情報を患者IDとともにサーバで管理するとともに、電子化した診察券に患者IDを記録し、診察券に記録された患者IDに基づいて患者に関する情報をサーバから取得する医療機関内情報処理システムが提案されている（例えば、特許文献４）。
【０００７】
さらに、患者の診察券、投与薬品、カルテ、医療処置内容などに固有のＩＤを持つＩＤチップを付与して、それぞれの対応関係をデータベースで管理する医療情報管理システムが提案されている（例えば、特許文献５）。
【特許文献１】特開平０７−３９５７３号公報
【特許文献２】特開２００３−１８６９９１号公報
【特許文献３】特開２００２−２４５１６２号公報
【特許文献４】特開２００２−２６９２３０号公報
【特許文献５】国際公開第０１／０６９５１０号パンフレット
【発明の開示】
【発明が解決しようとする課題】
【０００８】
しかしながら、特許文献１に記載されている発明では、RFIDタグには処方箋データしか書き込まれないため、医師や薬剤師は、病院が異なる場合、過去に患者に対して調剤された薬の情報を知るには、患者の申告に頼ることがほとんどであり、必ずしも正確な情報を知ることができないという課題があった。
【０００９】
また、特許文献２に記載されている発明では、RFIDメディアやICラベルに処方箋情報や過去に患者に対して調剤された薬の情報を書き込むことは開示されておらず、患者の処方箋や過去に患者に調剤された薬に関する正確な情報を知ることができないという課題があった。
【００１０】
さらに、特許文献３乃至特許文献５に記載されている発明では、診察券に患者ＩＤや処方箋ＩＤのみしか記録されないため、実際の患者に関する情報をサーバやデータベースなどで管理しなければならず、また、患者に関する情報を取得するために、ネットワークなどを介してサーバやデータベースなどに接続して情報を取得する必要があり、システムの規模が大きくなるとともに、手間がかかるという課題があった。
【００１１】
また、患者は、単に処方箋を交付してもらうためだけに診察を受ける場合があり、面倒であることが多い。さらに、旅行や出張などにおいては、薬がなくなっても、かかりつけの医師の診断を受けることができず、必要な薬を調剤してもらうことができない場合があった。
【００１２】
本発明は、このような状況に鑑みてなされたものであり、患者の薬に関する情報を簡単かつ確実に記憶したり、取得したりできるようにするものである。また、１回の診察で、複数回、安全に調剤できるようにするものである。
【課題を解決するための手段】
【００１３】
本発明の医療情報記憶装置は、医師が患者に対して治療上調剤して投与する必要があると認めた薬剤を示す処方箋情報および処方箋情報に基づいて患者に対して調剤された薬剤の履歴を示す調剤履歴情報を含む患者情報を情報処理装置と送受信する送受信手段と、患者情報を記憶する記憶手段と、送受信手段により情報処理装置から受信した制御情報に従って、送受信手段による患者情報の送受信、および記憶手段による患者情報の記憶を制御する制御手段とを含むことを特徴とする。
【００１４】
前記処方箋情報は、病院で医師が患者に対して交付した処方箋に関する情報を含み、例えば、処方日、処方した病院名、処方した医師名、薬剤名、用法、用量、処方日数、および有効期限を含む。前記調剤履歴情報は、薬局で薬剤師が患者に対して調剤した情報を含み、例えば、調剤日、調剤した薬局名、薬剤師名、および調剤量を含む。前記情報処理装置は、例えば、パーソナルコンピュータおよびリーダライタにより構成される診察券管理装置などにより構成される。
【００１５】
前記送受信手段は、例えば、非接触型アンテナや、接触端子などにより構成される。前記記憶手段は、各種メモリにより構成され、電源供給がなくなっても記憶された情報が消えることがない、例えばEEPROM（Electrically Erasable Programmable Read Only Memory）などの不揮発性メモリを用いることが好ましい。前記制御手段は、例えば、ＣＰＵ（Central Processing Unit）などの演算装置により構成され、受信した制御信号に従って、メモリに記憶された患者情報を読み出して、他の情報処理装置に送信したり、受信した新たな患者情報を、メモリに記憶させる。
【００１６】
本発明の医療情報記憶装置によれば、医師が患者に対して治療上調剤して投与する必要があると認めた薬剤を示す処方箋情報および処方箋情報に基づいて患者に対して調剤された薬剤の履歴を示す調剤履歴情報を含む患者情報が情報処理装置と送受信され、患者情報が記憶され、情報処理装置から受信した制御情報に従って、患者情報の送受信、および患者情報の記憶が制御される。
【００１７】
従って、患者の情報を記憶することができる。また、患者の薬に関する情報を簡単かつ確実に知ることができる。この患者の薬に関する情報には、医者が患者に対して処方した情報および薬剤師が患者に対して調剤した情報が含まれる。さらに、１回の診察で、複数回、安全に調剤することができる。また、患者に対して調剤した情報を、薬剤師から医者に確実に伝達でき、診察に役立てることができる。さらに、患者に対して処方した情報を、医師から薬剤師に確実に伝達することができる。また、患者情報を医療情報記憶装置に記憶させるため、患者情報を管理するためのデータベース、サーバ、ネットワークなどの構築が必ずしも必要ではなく、コストを抑えることができるとともに、患者情報を簡単かつ迅速に取得することができる。
【００１８】
本発明の医療情報記憶装置においては、処方箋情報は、１回の調剤における薬剤の量の制限を示す制限情報を含むようにすることができる。
【００１９】
前記制限情報は、例えば、医師が処方した薬剤の量を日数で表わした処方日数、薬剤の数量、薬剤の重量などで表わされる。
【００２０】
従って、患者に調剤する薬剤の適切な量を簡単かつ確実に知ることができる。
【００２１】
本発明の医療情報記憶装置は、RFID（Radio Frequency Identification）タグまたは接触式ICカードにより構成されるようにすることができる。
【００２２】
従って、医療情報記憶装置の持ち運びや管理が容易になる。また、医療情報記憶装置をRFIDタグにより構成した場合、医療情報記憶装置と情報処理装置の間の患者情報の送受信が、汚れやほこり等の影響を受けにくくなる。さらに、医療情報記憶装置をRFIDタグにより構成した場合、医療情報記憶装置と情報処理装置のデータの送受信が、非接触で行なわれるため、医療情報記憶装置の耐久性を向上させることができる。
【００２３】
本発明の医療情報記憶装置は、病院の診察券であるようにすることができる。
【００２４】
従って、一般的に患者が病院で診察を受けるために必要な診察券以外のものを新たに用いることなく、患者情報を記憶したり、取得したりすることができる。
【００２５】
本発明の医療情報処理装置は、患者が所有する医療情報記憶装置から、医師が患者に対して治療上調剤して投与する必要があると認めた薬剤を示す処方箋情報および処方箋情報に基づいて患者に対して調剤された薬剤の履歴を示す調剤履歴情報を含む患者情報を取得する取得手段と、取得した患者情報の表示を制御する表示制御手段とを含むことを特徴とする。
【００２６】
前記医療情報記憶装置は、例えば、ＲＦＩＤタグやＩＣカードなどにより構成される診察券である。前記取得手段は、例えば、非接触型アンテナや、接触端子などにより構成される。前記処方箋情報は、病院で医師が患者に対して交付した処方箋に関する情報を含み、例えば、処方日、処方した病院名、処方した医師名、薬剤名、用法、用量、処方日数、および有効期限を含む。前記調剤履歴情報は、薬局で薬剤師が患者に対して調剤した情報を含み、例えば、調剤日、調剤した薬局名、薬剤師名、および調剤量を含む。
【００２７】
前記取得手段は、例えば、非接触型アンテナや、接触端子などにより構成される。前記表示制御手段は、例えば、ＣＰＵなどの演算装置により構成され、患者情報を、ＣＲＴ（Cathode Ray Tube）、ＬＣＤ（Liquid Crystal Display）等の表示装置に送信して、患者情報を表示させるように制御する。
【００２８】
本発明の医療情報処理装置によれば、患者が所有する医療情報記憶装置から、医師が患者に対して治療上調剤して投与する必要があると認めた薬剤を示す処方箋情報および処方箋情報に基づいて患者に対して調剤された薬剤の履歴を示す調剤履歴情報を含む患者情報が取得され、取得した患者情報の表示が制御される。
【００２９】
従って、患者の情報を表示することができる。また、簡単かつ確実に患者の薬に関する情報を知ることができる。この患者の薬に関する情報には、医者が患者に対して処方した情報および薬剤師が患者に対して調剤した情報が含まれる。また、患者情報を医療情報記憶装置から取得するため、患者情報を管理するためのデータベース、サーバ、ネットワークなどの構築が必ずしも必要ではなく、コストを抑えることができるとともに、患者情報を簡単かつ迅速に取得することができる。
【００３０】
本発明の医療情報処理装置においては、処方箋情報は、１回の調剤における薬剤の量の制限を示す制限情報を含むようにすることができる。
【００３１】
前記制限情報は、例えば、医師が処方した薬剤の量を日数で表わした処方日数、薬剤の数量、薬剤の重量などで表わされる。
【００３２】
従って、患者に調剤する薬剤の適切な量を簡単かつ確実に知ることができる。
【００３３】
本発明の医療情報処理装置は、取得した患者情報に基づいて、患者に対して調剤する薬剤の量を算出する算出手段をさらに含むようにすることができる。
【００３４】
前記算出手段は、例えば、ＣＰＵなどの演算装置により構成され、処方箋情報の処方日数や調剤履歴情報などに基づいて、患者に対して調剤できる薬剤の最大量を示す調剤可能量を算出する。
【００３５】
これにより、取得した患者情報に基づいて、患者に対して調剤する薬剤の量が算出される。
【００３６】
従って、患者に調剤する薬剤の適切な量を簡単かつ確実に知ることができる。また、１回の診察で、複数回、安全に調剤することができるとともに、多量に摂取すると危険な薬剤など、多量に購入されると問題がある薬剤が、患者により多量に購入されることが防止される。
【００３７】
本発明の医療情報処理装置は、処方箋情報および調剤履歴情報のうち少なくとも一方の医療情報記憶装置への書き込みを制御する書き込み制御手段をさらに含むようにすることができる。
【００３８】
前記書き込み制御手段は、例えば、CPUなどの演算装置により構成され、処方箋情報および調剤履歴情報のうち少なくとも一方を医療情報記憶装置へ送信して、医療情報記憶装置のメモリに記憶させるように制御する。
【００３９】
これにより、処方箋情報および調剤履歴情報のうち少なくとも一方の医療情報記憶装置への書き込みが制御される。
【００４０】
従って、患者の情報を簡単かつ確実に記憶させることができる。また、患者の薬に関する情報を簡単かつ確実に記憶させることができる。この患者の薬に関する情報には、医者が患者に対して処方した情報および薬剤師が患者に対して調剤した情報のうち少なくとも一方が含まれる。さらに、１回の診察で、複数回、安全に調剤することができる。また、患者に対して調剤した情報を、薬剤師から医者に確実に伝達でき、診察に役立てることができる。さらに、患者に対して処方した情報を、医師から薬剤師に確実に伝達することができる。
【００４１】
本発明の医療情報処理方法、記憶媒体、およびプログラムは、患者が所有する医療情報記憶装置から、医師が患者に対して治療上調剤して投与する必要があると認めた薬剤を示す処方箋情報および処方箋情報に基づいて患者に対して調剤された薬剤の履歴を示す調剤履歴情報を含む患者情報を取得する取得ステップと、取得した患者情報の表示を制御する表示制御ステップとを含むことを特徴とする。
【００４２】
前記取得ステップは、例えば、非接触型アンテナや、接触端子などにより、医療情報記憶装置から、患者情報を取得する処理である。前記表示制御ステップは、例えば、ＣＰＵなどの演算装置によって、患者情報を、ＣＲＴ、ＬＣＤ等の表示装置に送信して、表示させるように制御する処理である。
【００４３】
前記医療情報記憶装置は、例えば、ＲＦＩＤタグやＩＣカードなどにより構成される診察券である。前記処方箋情報は、病院で医師が患者に対して交付した処方箋に関する情報を含み、例えば、処方日、処方した病院名、処方した医師名、薬剤名、用法、用量、処方日数、および有効期限を含む。前記調剤履歴情報は、薬局で薬剤師が患者に対して調剤した情報を含み、例えば、調剤日、調剤した薬局名、薬剤師名、および調剤量を含む。
【００４４】
本発明の医療情報処理方法、記憶媒体、およびプログラムによれば、患者が所有する医療情報記憶装置から、医師が患者に対して治療上調剤して投与する必要があると認めた薬剤を示す処方箋情報および処方箋情報に基づいて患者に対して調剤された薬剤の履歴を示す調剤履歴情報を含む患者情報が取得され、取得した患者情報の表示が制御される。
【００４５】
従って、患者の情報を表示することができる。また、簡単かつ確実に患者の薬に関する情報を知ることができる。この患者の薬に関する情報には、医者が患者に対して処方した情報および薬剤師が患者に対して調剤した情報が含まれる。
【発明の効果】
【００４６】
以上のように、医療情報記憶装置によれば、患者の情報を記憶することができる。また、医療情報処理装置によれば、患者の薬に関する情報を、簡単かつ確実に知ることができる。さらに、医療情報処理装置によれば、１回の診察で、複数回、安全に調剤することができる。
【００４７】
医療情報処理装置、医療情報処理方法、記録媒体、およびプログラムによれば、患者の情報を表示することができる。また、医療情報処理装置、医療情報処理方法、記録媒体、およびプログラムによれば、患者の薬に関する情報を、簡単かつ確実に知ることができる。
【発明を実施するための最良の形態】
【００４８】
以下、図を参照して、本発明の実施の形態について説明する。
【００４９】
図１を参照して、本発明を適用した診察券１３と、診察券１３のデータを管理する診察券管理装置１の構成例を示すブロック図である。
【００５０】
診察券管理装置１は、パーソナルコンピュータ１１およびリーダライタ１２により構成され、例えば、病院や薬局の受付に設置される。リーダライタ１２は、パーソナルコンピュータ１１に接続され、パーソナルコンピュータ１１から入力される制御信号に従って、カード型のＲＦＩＤ（Radio Frequency Identification）タグにより構成された診察券１３から所定のデータを読み込んだり、診察券１３に所定のデータを書き込んだりする。
【００５１】
ＲＦＩＤタグにより構成される診察券１３と診察券管理装置１のリーダライタ１２は、電波で交信するため、データを送受信するときに、汚れやほこり等の影響を受けにくい。また、診察券１３と診察券管理装置１のリーダライタ１２は、非接触でデータの送受信を行うため、接触による磨耗等が避けられ、診察券１３の耐久性が向上する。
【００５２】
図２は、図１のパーソナルコンピュータ１１の構成例を示すブロック図である。
【００５３】
パーソナルコンピュータ１１は、入力部２１、ＣＰＵ（Central Processing Unit）２２、ＲＯＭ（Read Only Memory）２３、ＲＡＭ（Random Access Memory）２４、表示部２５、記録部２６、通信部２７、およびドライブ２８により構成される。ＣＰＵ２２、ＲＯＭ２３、およびＲＡＭ２４は、内部バス３０を介して相互に接続され、入力部２１、表示部２５、記録部２６、通信部２７、ドライブ２８、およびリーダライタ１２は、入出力インターフェイス２９を介して、相互に接続されている。また、内部バス３０と入出力インターフェイス２９は、相互に接続されている。
【００５４】
入力部２１は、例えば、ボタン、スイッチ、キーボードあるいはマウスなどで構成され、ユーザがパーソナルコンピュータ１１に各種の指令を入力するとき操作される。
【００５５】
ＣＰＵ２２は、入出力インターフェイス２９および内部バス３０を介して、ユーザが、入力部２１を用いて入力した処理の指示やデータの入力を受け、入力された処理の指示に基づいて、ＲＯＭ２３に記憶されているプログラム、または記録部２６からＲＡＭ２４にロードされたプログラムに従って各種の処理を実行する。
【００５６】
ＲＯＭ２３は、ＣＰＵ２２が使用するプログラムや演算用のパラメータのうちの基本的に固定のデータを格納する。
【００５７】
ＲＡＭ２４は、ＣＰＵ２２の実行において使用するプログラムや、その実行において適宜変化するパラメータやデータを格納する。
【００５８】
表示部２５は、例えば、ＣＲＴ（Cathode Ray Tube）またはＬＣＤ（Liquid Crystal Display）等からなり、各種情報をテキスト、あるいはイメージなどで表示する。
【００５９】
記録部２６は、ハードディスクなどにより構成され、ＣＰＵ２２によって実行するプログラムや情報を記録または再生させる。
【００６０】
通信部２７は、例えば、モデムやターミナルアダプタなどで構成され、インターネットを含むネットワークを介して、外部の情報処理装置と通信処理を行う。
【００６１】
ドライブ２８は、必要に応じて入出力インターフェイス２９に接続され、磁気ディスク、光ディスク、光磁気ディスク、あるいは半導体メモリなどよりなるリムーバブルメディア３１が適宜装着され、そこから読み出されプログラムが、記録部２６にインストールされる。
【００６２】
図３は、リーダライタ１２の構成例を示すブロック図である。
【００６３】
リーダライタ１２は、ＣＰＵ（Central Processing Unit）４１、ＳＣＣ（Serial Communication Controller）４２、メモリ４３、アンテナ４４、復調部４５、変調部４６、および発振部４７により構成される。ＣＰＵ４１、ＳＣＣ４２、およびメモリ４３は、バス４８を介して相互に接続されている。
【００６４】
ＣＰＵ４１は、復調部４５を介して診察券１３から受信した応答データや、ＳＣＣ４２およびバス４８を介してパーソナルコンピュータ１１から入力される制御信号の入力を受け、入力された応答データや制御信号に従った処理を実行し、診察券１３に送信するコマンドを変調部４６に出力したり、パーソナルコンピュータ１１に出力するデータをバス４８を介してＳＣＣ４２に出力する。また、ＣＰＵ４１は、診察券１３から送信された応答データに対して所定の処理（例えば、マンチェスタ符号化されたデータの復号など）を施すとともに、診察券１３に送信するコマンドに対しても、所定の処理（例えば、マンチェスタ符号化など）を行った後、変調部４６に出力する。
【００６５】
ＳＣＣ４２は、パーソナルコンピュータ１１から入力されたデータを、バス４８を介して、ＣＰＵ４１に供給したり、ＣＰＵ４１から、バス４８を介して入力されたデータを、パーソナルコンピュータ１１に出力する。
【００６６】
メモリ４３は、データの処理に必要な情報を予め記憶したり、処理途中のデータを一時的に記憶する。
【００６７】
アンテナ４４は、所定の電磁波を放射した状態で負荷状態を監視することにより、診察券１３が通信可能な位置にあるか否かを検出し、診察券１３に対してデータの送受信を行う。
【００６８】
復調部４５は、アンテナ４４を介して、診察券１３から受信した変調波（例えば、ＡＳＫ変調波、ＢＰＳＫ変調波など）を復調し、復調されたデータをＣＰＵ４１に出力する。
【００６９】
変調部４６は、発振部４７より供給される所定の周波数（例えば１３．５６ＭＨｚ）の搬送波を、ＣＰＵ４１より供給されるデータに基づいて変調（例えば、ＡＳＫ変調、ＢＰＳＫ変調など）し、生成された変調波を、アンテナ４４を介して、電磁波として診察券１３に出力する。なお、例えば、ＡＳＫ変調を行う場合、変調部４６は、変調度を１未満にして、ＡＳＫ変調を行うようになされており、これにより、データがローレベルのときにおいても、変調波の最大振幅がゼロにならないようになされている。
【００７０】
図４は、図１の診察券１３の構成例を示すブロック図である。
【００７１】
診察券１３は、ＩＣ６１およびアンテナ６２により構成される。ＩＣ６１は、変復調部７１、ＣＰＵ７２、およびEEPROM（Electrically Erasable and Programmable Read Only Memory）７３により構成される。
【００７２】
変復調部７１は、入力された変調波（例えば、ＡＳＫ変調波、ＢＰＳＫ変調波など）を検波して復調し、復調後のデータを、ＣＰＵ７２に出力する。また、入力されたデータがマンチェスタ符号化されている場合、変復調部７１はデータを復号して、ＣＰＵ７２に出力する。
【００７３】
ＣＰＵ７２は、入力されたデータに基づいた所定の処理を実行する。例えば、入力されたデータが、EEPROM７３に新たに記憶させるためのデータである場合、そのデータをEEPROM７３に記憶させ（書き込み）、入力されたデータが、EEPROM７３に保存されている所定のデータの送出要求である場合、対応するデータをEEPROM７３から読み出し、に出力する。
【００７４】
ＣＰＵ７２は、EEPROM７３のメモリ空間を所定のサイズ（例えば、８バイト）のブロックに分割して、データの書き込みおよび読み出しをそのブロック単位で実行する。すなわち、ＣＰＵ７２は、そのブロックの番号を指定して、所定のブロックにデータを書き込んだり、所定のブロックからデータを読み出したりする。
【００７５】
EEPROM７３は、不揮発性のメモリであり、診察券１３が、リーダライタ１２との通信を終了し、その電力供給が停止された後も、データを記憶し続ける。
【００７６】
診察券１３では、アンテナ６２および図示しないコンデンサで構成されるＬＣ回路において、リーダライタ１２のアンテナ４４が放射した電磁波の一部が電気信号に変換され、その電気信号（変調波）を整流平滑化することで、包絡線検波を行い、これにより生成される信号を、図示しない電圧レギュレータに供給し、その信号を安定化させて、直流電源として、診察券１３の各部に供給させる。
【００７７】
診察券１３からリーダライタ１２へデータを送信する場合、例えば、変復調部７１は、ＣＰＵ７２より供給されたデータを、図示しない所定のスイッチング素子をオン／オフさせ、スイッチング素子がオン状態であるときだけ所定の負荷をアンテナ６２に並列に接続させることにより、アンテナ６２の負荷を変動させる。
【００７８】
リーダライタ１２は、診察券１３からデータを受信するとき、すなわち、診察券１３にデータを送信させるとき、例えば、その出力する変調波の最大振幅を一定にしており、変復調部７１は、アンテナ６２の負荷の変動により、アンテナ６２を介してリーダライタ１２から受信している変調波をＡＳＫ変調し、その変調成分を、アンテナ６２を介してリーダライタ１２のアンテナ４４に送信する。すなわち、リーダライタ１２のアンテナ４４の端子電圧を変動させる。
【００７９】
次に、図５を参照して、病院や薬局で、医師、看護婦、薬剤師などが診察券管理装置１に入力して、診察券管理装置１から送信され、診察券１３のEEPROM７３に記憶される患者情報の構成例について説明する。
【００８０】
図５の１列目は患者情報に含まれる項目名を示し、２列目は実際に患者情報に記憶されるデータの具体例を示している。患者情報は、個人情報、処方箋情報、および調剤履歴情報を含む。
【００８１】
個人情報は、患者の保険証番号、患者を特定するための患者ID、患者の氏名、患者の性別、および患者の生年月日を含む。患者IDは、病院で診察を受けた患者を一意に識別するために、患者ごとに異なる値が割り当てられIDを表わす。
【００８２】
処方箋情報は、処方日、医師名、処方データ、処方日数、および有効期限を含む。医師名は、患者を診察して、処方した医師の名前を表わす。処方日は、医師が処方した日付を表わす。
【００８３】
処方データは、処方された薬剤ごとに記憶され、例えば、１回の診察でｍ種類の薬剤が処方された場合、処方データ１乃至処方データｍのｍ個の処方データが診察券１３に記憶される。処方データは、処方された薬剤を特定する薬剤名、用法、および用量を含む。用法は、例えば、１日３回毎食後、１日１回就寝前などのように、薬剤の服用方法を示す。用量は、例えば、１回２錠、１回２００ｍｌなどのように、薬剤を服用する量を示す。
【００８４】
処方日数は、医師が処方した薬剤の量を日数で表わしたものであり、薬局の薬剤師は、患者から特に指示されない限り、処方日数分の薬剤を調剤して、患者に販売する。また、図１２および図１３を参照して後述するように、診察券管理装置１は、処方日数に基づいて、薬剤師が患者に対して調剤できる薬剤の最大量を示す調剤可能量を算出する。処方日数は、１回の調剤における薬剤の量の制限を示す制限情報の一例である。なお、処方日数の代わりに、薬剤の数量や重量などにより、処方量の制限を表わすようにしてもよい。
【００８５】
有効期限は、処方箋情報に基づいて、患者が薬を購入できる期限を表わしており、患者は、有効期限内であれば、処方日数で示される薬の量を超えない範囲で、何度でも、処方箋情報に基づいて、薬を購入できることを示す。
【００８６】
調剤履歴情報は、薬剤師が、患者に対して、処方箋情報に基づいて薬剤を調剤して、販売した履歴であり、患者が、薬を薬局で薬剤師に調剤してもらい、購入する毎に、診察券１３に追加して記憶される。調剤履歴情報は、調剤日、薬局名、薬剤師名、および調剤量を含む。調剤量は、処方日数と同様に、薬剤師が患者に対して調剤した薬剤の量が日数分で表わされる。なお、調剤量を日数ではなく、調剤した個々の薬剤の数量や重量などにより表わすようにしてもよい。
【００８７】
次に、図６のフローチャートを参照して、病院、薬局などにおいて、診察券管理装置１により実行される処理について説明する。なお、この処理は、ユーザにより、診察券管理装置１の処理の開始が指令されたとき、開始される。
【００８８】
まず、病院の医師や看護婦、薬局の薬剤師などのユーザは、診察券管理装置１の処理が開始されたとき、診察券管理装置１を病院モードおよび薬局モードのどちらの処理モードで使用するかを選択して、パーソナルコンピュータ１１の入力部２１を操作して処理モード入力する。ステップＳ１において、CPU２２は、入力部２１、入出力インターフェイス２９、および内部バス３０を介して、ユーザから入力された処理モードを取得する。
【００８９】
ステップＳ２において、CPU２２は、ユーザにより選択された処理モードが病院モードか否かを判定する。ユーザにより選択された処理モードが病院モードであると判定された場合、処理はステップＳ３に進み、ステップＳ３において、図７を参照して詳細を後述する病院モード処理が実行され、診察券管理装置１の処理は終了する。
【００９０】
ステップＳ２において、ユーザにより選択された処理モードが病院モードでない、すなわち、薬局モードであると判定された場合、処理はステップＳ４に進み、ステップＳ４において、図１２および図１３を参照して詳細を後述する薬局モード処理が実行され、診察券管理装置１の処理は終了する。
【００９１】
次に、図７のフローチャートを参照して、図６のステップＳ３における病院モード処理の詳細について説明する。
【００９２】
ステップＳ１１において、データ読み出し処理が行なわれる。データ読み出し処理の詳細は、図８を参照して後述するが、この処理により、例えば、病院の医師や看護婦が、診察に来た患者から診察券１３を受け取り、診察券管理装置１に備えられているリーダライタ１２のアンテナ４４付近に診察券１３をかざすことにより、診察券１３に記憶されている患者情報がリーダライタ１２に読み出される。
【００９３】
ステップＳ１２において、リーダライタ１２のＣＰＵ４１は、ステップＳ１１の処理で、診察券１３に記憶されている患者情報を受信したか否かを判定する。患者情報を受信したと判定された場合、処理はステップＳ１３に進む。
【００９４】
ステップＳ１３において、パーソナルコンピュータ１１のＣＰＵ２２は、リーダライタ１２のＣＰＵ４１から患者情報を取得する。具体的には、ＣＰＵ４１は、受信した患者情報を、バス４８およびＳＣＣ４２を介して、パーソナルコンピュータ１１に送信する。パーソナルコンピュータ１１のＣＰＵ２２は、入出力インターフェイス２９および内部バス３０を介して、リーダライタ１２から送信された患者情報を取得する。
【００９５】
ステップＳ１４において、ＣＰＵ２２は、必要に応じて、ステップＳ１３の処理で取得した患者情報を、内部バス３０および入出力インターフェイス２９を介して、記録部２６に供給し、記録させる。
【００９６】
ステップＳ１５において、ＣＰＵ２２は、ステップＳ１３の処理で取得した患者情報を、内部バス３０および入出力インターフェイス２９を介して、表示部２５に供給し、表示部２５は取得した患者情報に基づいた画面を表示する。その後、処理はステップＳ１６に進む。
【００９７】
ステップＳ１２において、患者情報が受信されていないと判定された場合、ステップＳ１３乃至Ｓ１５の処理はスキップされ、処理はステップＳ１６に進む。
【００９８】
医師は、ステップＳ１１の処理で診察券１３から読み出され、ステップＳ１５の処理で表示された患者情報を閲覧しながら、患者を診察する。患者情報には、図１２および図１３を参照して後述するように、患者が、診察券１３に記憶された処方箋情報に基づいて、薬局で薬を購入したときに記憶される調剤履歴情報が含まれており、医師は、過去に患者に対して調剤された薬剤に関する情報を知ることができる。例えば、医師は、その調剤履歴情報に基づいて、患者が薬を購入せずに、医師の処方どおりに薬を服用していなかった事実を知ることができ、その情報を診察に役立てることができる。
【００９９】
医師や看護婦は、患者の診察後、診察結果に基づいて、パーソナルコンピュータ１１の入力部２１を用いて、処方箋情報を入力する。また、医師や看護婦は、患者の初診時、すなわち診察券１３が新たに発行される場合、さらに患者の個人情報も入力する。
【０１００】
ステップＳ１６において、ＣＰＵ２２は、患者情報が入力されたか否かを判定する。患者情報が入力されたと判定された場合、すなわち、医師や看護婦が、入力部２１を用いて、患者情報を入力し、入出力インターフェイス２９および内部バス３０を介して、ＣＰＵ２２に患者情報が供給された場合、処理はステップＳ１７に進む。
【０１０１】
ステップＳ１７において、ＣＰＵ２２は、必要に応じて、ステップＳ１６の処理で入力された患者情報を、内部バス３０および入出力インターフェイス２９を介して、記録部２６に供給し、記録させる。
【０１０２】
ステップＳ１８において、ＣＰＵ２２は、ステップＳ１６の処理で入力された患者情報を、内部バス３０および入出力インターフェイス２９を介して、表示部２５に供給し、表示部２５は取得した患者情報に基づいた画面を表示する。その後、処理はステップＳ１９に進む。
【０１０３】
ステップＳ１６において、患者情報が入力されていないと判定された場合、ステップＳ１７およびＳ１８の処理はスキップされ、処理はステップＳ１９に進む。
【０１０４】
医師や看護婦は、患者情報を入力した後、診察券管理装置１に備えられているリーダライタ１２のアンテナ４４付近に診察券１３をかざし、パーソナルコンピュータ１１の入力部２１を用いて、診察券１３への患者情報の書き込みの指示を入力する。
【０１０５】
ステップＳ１９において、ＣＰＵ２２は、患者情報の書き込みが指示されたか否かを判定する。患者情報の書き込みが指示されたと判定された場合、すなわち、医師や看護婦が、入力部２１を用いて、診察券１３への患者情報の書き込みの指示を入力し、入力部２１から、入出力インターフェイス２９および内部バス３０を介して、患者情報の書き込みの指示の入力がＣＰＵ２２に供給された場合、処理はステップＳ２０に進む。
【０１０６】
ステップＳ２０において、データ書き込み処理が行なわれる。データ書き込み処理の詳細は、図９を参照して後述するが、この処理により、ステップＳ１１の処理で診察券１３から読み出された患者情報に、ステップＳ１６の処理で入力された患者情報が追加された患者情報が、診察券管理装置１から診察券１３に送信され、診察券１３に書き込まれる。なお、このとき、過去の処方箋情報および調剤履歴情報を全て送信して、診察券１３に書き込ませるようにしてもよいし、最新の処方箋情報および調剤履歴情報のみを送信して、診察券１３に書き込ませるようにしてもよい。また、ステップＳ１６の処理で入力された個人情報および処方箋情報のみを送信して、診察券１３に書き込ませるようにしてもよい。
【０１０７】
ステップＳ１９において、患者情報の書き込みが指示されていないと判定された場合、ステップＳ２０の処理はスキップされ、処理はステップＳ２１に進む。
【０１０８】
ステップＳ２１において、ＣＰＵ２２は、処理の終了が指示されたか否かを判定する。ステップＳ２１において、処理の終了が指示されていないと判定された場合、処理はステップＳ１１に戻り、それ以降の処理が繰り返される。
【０１０９】
ステップＳ２１において、処理の終了が指示されたと判定された場合、すなわち、医師や看護婦が、パーソナルコンピュータ１１の入力部２１を用いて、診察券管理装置１の処理の終了の指示を入力し、入力部２１から、入出力インターフェイス２９および内部バス３０を介して、処理の終了の指示の入力がＣＰＵ２２に供給された場合、病院モード処理は終了する。
【０１１０】
次に、図８のフローチャートを参照して、図７のステップＳ１１におけるデータ読み出し処理の詳細について説明する。
【０１１１】
ステップＳ３１において、リーダライタ１２のＣＰＵ４１は、アンテナ４４および復調部４５を介して入力される信号を元に、診察券１３との情報の授受が可能であるか否かを判定する。診察券１３との情報の授受が可能であると判定された場合、処理はステップＳ３２に進む。
【０１１２】
ステップＳ３２において、ＣＰＵ４１は、変調部４６およびアンテナ４４を介して、診察券１３に、患者情報の送信を要求する信号を送信する。このとき、ＣＰＵ４１は、患者情報が記憶されている診察券１３のEEPROM７３のメモリ空間のブロック番号を指定して、指定したブロックのデータを送信するように要求する。従って、ＣＰＵ４１は、必要に応じて、EEPROM７３に記憶されている患者情報を全て送信したり、または、患者情報の必要な部分のみを送信したりするように要求することができる。
【０１１３】
診察券１３は、後述する図９のステップＳ４１において、ステップＳ３２においてリーダライタ１２から送信された患者情報の送信を要求する信号を受信し、ステップＳ４２において、記憶されている患者情報を送信する。
【０１１４】
ステップＳ３３において、ＣＰＵ４１は、アンテナ４４および復調部４５を介して、診察券１３から送信された患者情報を受信して、データ読み出し処理は終了する。
【０１１５】
次に、図９のフローチャートを参照して、図８の診察券管理装置１のデータ読み出し処理に対応して実行される診察券１３におけるデータ送信処理を説明する。
【０１１６】
ステップＳ４１において、診察券１３のＣＰＵ７２は、アンテナ６２および変復調部７１を介して、患者情報の送信要求の入力を受信する。
【０１１７】
ステップＳ４２にいて、ＣＰＵ７２は、送信要求により指定されたブロック番号に基づいて、EEPROM７３に記憶されている患者情報を読み出して、変復調部７１およびアンテナ６２を介して、リーダライタ１２に、患者情報を送信して、データ送信処理は終了する。
【０１１８】
次に、図１０のフローチャートを参照して、図７のステップＳ２０におけるデータ書き込み処理の詳細について説明する。
【０１１９】
ステップＳ５１において、パーソナルコンピュータ１１のＣＰＵ２２は、図７のステップＳ１６で入力された患者情報を、内部バス３０、入出力インターフェイス２９を介して、リーダライタ１２に出力する。リーダライタ１２のＣＰＵ４１は、ＳＣＣ４２およびバス４８を介して、患者情報を取得する。
【０１２０】
ステップＳ５２において、リーダライタ１２のＣＰＵ４１は、アンテナ４４の負荷状態を監視することにより、診察券１３との情報の授受が可能であるか否かを確認する。診察券１３との情報の授受が可能であると確認された時点で、処理はステップＳ５３に進む。
【０１２１】
ステップＳ５３において、リーダライタ１２のＣＰＵ４１は、ステップＳ５１において取得した患者情報を、変調部４６およびアンテナ４４を介して、診察券１３に送信して、データ送信処理は終了する。このとき、ＣＰＵ４１は、診察券１３のEEPROM７３のメモリ空間のブロック番号を指定して、指定したブロックにデータを書き込むように要求する。従って、ＣＰＵ４１は、必要に応じて、EEPROM７３に記憶されている患者情報を全て更新したり、患者情報の一部のみ更新したり、または、記憶されている患者情報にデータを追加して書き込んだりするように要求することができる。送信された患者情報は、後述する図１１のステップＳ６１において、診察券１３により受信される。
【０１２２】
次に、図１１を参照して、図１０の診察券管理装置１のデータ書き込み処理に対応して実行される診察券１３におけるデータ受信処理を説明する。
【０１２３】
ステップＳ６１において、診察券１３のＣＰＵ７２は、アンテナ６２および変復調部７１を介して、図１０のステップＳ５３において、リーダライタ１２が送信した患者情報を受信する。
【０１２４】
ステップＳ６２において、ＣＰＵ７２は、指定されたEEPROM７３のブロックに患者情報を記憶させ、データ書き込み処理は終了する。
【０１２５】
次に、図１２および図１３を参照して、図６のステップＳ４における薬局モード処理の詳細について説明する。
【０１２６】
ステップＳ８１において、図８を参照して上述したデータ読み出し処理が行なわれる。この処理により、例えば、薬局の薬剤師が、薬局に薬を購入しに来た患者から診察券１３を受け取り、診察券管理装置１に備えられているリーダライタ１２のアンテナ４４付近に診察券１３をかざすことにより、病院で診察券１３に記憶された患者情報が、診察券管理装置１に読み出される。
【０１２７】
ステップＳ８２において、リーダライタ１２のＣＰＵ４１は、ステップＳ８１の処理で、診察券１３に記憶されている患者情報を受信したか否かを判定する。患者情報が受信されたと判定された場合、処理はステップＳ１３に進む。
【０１２８】
ステップＳ８３において、図７のステップＳ１３の処理と同様に、パーソナルコンピュータ１１のＣＰＵ２２は、リーダライタ１２のＣＰＵ４１から患者情報を取得する。
【０１２９】
ステップＳ８４において、図７のステップＳ１４の処理と同様に、ＣＰＵ２２は、必要に応じて、ステップＳ８３の処理で取得した患者情報を、内部バス３０および入出力インターフェイス２９を介して、記録部２６に供給し、記録させる。
【０１３０】
ステップＳ８５において、図７のステップＳ１５の処理と同様に、ＣＰＵ２２は、ステップＳ８３の処理で取得した患者情報を、内部バス３０および入出力インターフェイス２９を介して、表示部２５に供給し、表示部２５は取得した患者情報に基づいた画面を表示する。
【０１３１】
ステップＳ８６において、ＣＰＵ２２は、今日の日付が、患者情報の処方箋情報の有効期限を過ぎていないか否かを判定する。有効期限を過ぎていないと判定された場合、処理はステップＳ８７に進む。
【０１３２】
ステップＳ８７において、ＣＰＵ２２は、調剤可能量を算出する。具体的には、まず、ＣＰＵ２２は、患者情報の処方箋情報の処方日、処方日数、および有効期限に基づいて、処方日から有効期限までの期間を、処方日数ごとの期間（以下、分割期間と称する）に分割する。そして、ＣＰＵ２２は、患者情報の調剤履歴情報に基づいて、今日の日付を含む分割期間内に患者に対して調剤された薬剤の合計量を計算し、処方日数から分割期間内に調剤された薬剤の合計量を引いた値を調剤可能量とする。すなわち、調剤可能量は、分割期間内に、患者に対して処方日数以上の薬剤が調剤されないように制限する値を示す。
【０１３３】
例えば、処方箋情報の処方日に２００４年３月１日、処方日数に１４日分、および有効期限が２００４年４月２５日と記憶され、さらに調剤履歴情報に２００４年３月１日に１０日分の薬剤が調剤された履歴が記憶されていて、今日の日付が２００４年３月１２日の場合について考える。まず、処方日である２００４年３月１日から有効期限である２００４年４月２５日までの期間が、処方日数である１４日ごとに、２００４年３月１日乃至２００４年３月１４日、２００４年３月１５日乃至２００４年３月２８日、２００４年３月２９日乃至２００４年４月１１日、および２００４年４月１２日乃至２００４年４月２５日の４つの分割期間に分割される。そして、今日の日付である２００４年３月１２日は、２００４年３月１日乃至２００４年３月１４日の分割期間に含まれ、その分割期間に含まれる２００４年３月１日に、患者に対して１０日分の薬剤が調剤された履歴が記憶されているので、処方日数である１４日分から分割期間内に調剤された薬剤の合計量である１０日分を引いた４日分が調剤可能量となる。
【０１３４】
ステップＳ８８において、ＣＰＵ２２は、内部バス３０および入出力インターフェイス２９を介して、表示部２５に調剤可能量のデータを供給し、表示部２５は取得した調剤可能量のデータに基づいて、調剤可能量を画面に表示する。その後、処理はステップＳ９０に進む。
【０１３５】
ステップＳ８６において、今日の日付が、有効期限を過ぎていると判定された場合、処理はステップＳ８９に進み、ステップＳ８９において、ＣＰＵ２２は、内部バス３０および入出力インターフェイス２９を介して、表示部２５に有効期限が過ぎていることを示す警告画面を表示させる。これにより、薬剤師は、処方箋情報の有効期限が過ぎていることを確実に知ることができる。その後、処理はステップＳ９０に進む。
【０１３６】
薬剤師は、ステップＳ８５の処理で表示部２５に表示された患者情報に含まれる処方箋情報に基づいて、薬剤を調剤して、患者に販売する。これにより、病院で交付された処方箋の情報が確実に薬局の薬剤師に伝達され、調剤ミスが少なくなる。また、薬剤師は、他の薬局で調剤された薬剤の情報を知ることができる。
【０１３７】
さらに、薬剤師は、ステップＳ８８の処理で表示部２５に表示された調剤可能量を超える薬剤を調剤しないように制限することにより、１回の診察で、診察券１３に記憶されている処方箋情報に基づいて、有効期限内において、複数回、安全に調剤することができるとともに、多量に摂取すると危険な薬剤など、多量に購入されると問題がある薬剤が、患者により多量に購入されることが防止される。また、患者は、有効期限内であれば、同じ薬を購入するために、病院に行って、処方箋情報を更新する必要がなくなる。
【０１３８】
そして、薬剤師は、患者に薬剤を調剤して、販売するときに、パーソナルコンピュータ１１の入力部２１を用いて、調剤履歴情報を入力する。
【０１３９】
ステップＳ９０において、ＣＰＵ２２は、調剤履歴情報が入力されたか否かを判定する。調剤履歴情報が入力されたと判定された場合、すなわち、薬剤師が、入力部２１を用いて、調剤履歴情報を入力し、入出力インターフェイス２９および内部バス３０を介して、入力部２１に調剤履歴情報が供給された場合、処理はステップＳ９１に進む。
【０１４０】
ステップＳ９１において、ＣＰＵ２２は、必要に応じて、ステップＳ９０の処理で入力された調剤履歴情報を、内部バス３０および入出力インターフェイス２９を介して、記録部２６に供給し、記録させる。
【０１４１】
ステップＳ９２において、ＣＰＵ２２は、ステップＳ９０の処理で入力された調剤履歴情報を、内部バス３０および入出力インターフェイス２９を介して、表示部２５に供給し、表示部２５は取得した調剤履歴情報に基づいた画面を表示する。
【０１４２】
ステップＳ９３において、ＣＰＵ２２は、入力された調剤履歴情報の調剤量が、ステップＳ８７の処理で算出した調剤可能量を超えているか否かを判定する。調剤量が調剤可能量を超えていると判定された場合、処理はステップＳ９４に進む。
【０１４３】
ステップＳ９４において、ＣＰＵ２２は、内部バス３０および入出力インターフェイス２９を介して、表示部２５に調剤量が調剤可能量を超えていることを示す警告画面を表示させる。これにより、薬剤師は、調剤可能量を超えて薬剤を調剤したことを確実に知ることができる。その後、処理はステップＳ９５に進む。
【０１４４】
ステップＳ９３において、調剤量が調剤可能量を超えていないと判定された場合、ステップＳ９４の処理はスキップされ、処理はステップＳ９５に進む。
【０１４５】
ステップＳ９０において、調剤履歴情報が入力されていないと判定された場合、ステップＳ９１乃至Ｓ９４の処理はスキップされ、処理はステップＳ９５に進む。
【０１４６】
薬剤師は、調剤履歴情報を入力した後、診察券管理装置１に備えられているリーダライタ１２のアンテナ４４付近に診察券１３をかざして、パーソナルコンピュータ１１の入力部２１を用いて、診察券１３への患者情報の書き込みの指示を入力する。
【０１４７】
ステップＳ９５において、図７のステップＳ１９の処理と同様に、ＣＰＵ２２は、患者情報の書き込みが指示されたか否かを判定する。患者情報の書き込みが指示されたと判定された場合、処理はステップＳ９６に進む。
【０１４８】
ステップＳ９６において、図９を参照して上述したデータ書き込み処理が行なわれる。この処理により、ステップＳ８１の処理で診察券１３から読み出された患者情報に、ステップＳ９０の処理で入力された調剤履歴情報が追加された患者情報が、診察券管理装置１から診察券１３に送信され、診察券１３に書き込まれる。なお、このとき、患者情報を全て送信するのではなく、入力された調剤履歴情報のみを送信して、診察券１３に追加して書き込ませるようにしてもよい。その後、処理はステップＳ９７に進む。
【０１４９】
ステップＳ９５において、患者情報の書き込みが指示されていないと判定された場合、ステップＳ９６の処理はスキップされ、処理はステップＳ９７に進む。
【０１５０】
ステップＳ９７において、ＣＰＵ２２は、処理の終了が指示されたか否かを判定する。処理の終了が指示されていないと判定された場合、処理はステップＳ８１に戻り、それ以降の処理が繰り返される。
【０１５１】
ステップＳ９７において、処理の終了が指示されたと判定された場合、すなわち、薬剤師が、入力部２１を用いて、診察券管理装置１の処理の終了の指示を入力し、入力部２１から、入出力インターフェイス２９および内部バス３０を介して、処理の終了の指示の入力がＣＰＵ２２に供給された場合、患者モード処理は終了する。
【０１５２】
このように、診察券１３に調剤履歴情報を記憶することにより、患者に対して調剤した情報を、薬剤師から医者に確実に伝達でき、診察に役立てることができる。また、診察券１３に処方箋情報を記憶することにより、患者に対して処方した情報を、医師から薬剤師に確実に伝達することができる。さらに、診察券１３に処方箋情報を記憶することにより、従来の紙に記載された処方箋と比べて、患者の個人情報が第３者に見られにくくなる。
【０１５３】
以上のように、医師が患者に対して治療上調剤して投与する必要があると認めた薬剤を示す処方箋情報および処方箋情報に基づいて患者に対して調剤された薬剤の履歴を示す調剤履歴情報を含む患者情報を情報処理装置と送受信し、患者情報を記憶し、情報処理装置から受信した制御情報に従って、患者情報の送受信、患者情報の記憶を制御するようにした場合には、患者の情報を記憶することができる。また、患者の薬に関する情報を、簡単かつ確実に知ることができる。さらに、１回の診察で、複数回、安全に調剤することができる。
【０１５４】
また、患者が所有する医療情報記憶装置から、医師が患者に対して治療上調剤して投与する必要があると認めた薬剤を示す処方箋情報および処方箋情報に基づいて患者に対して調剤された薬剤の履歴を示す調剤履歴情報を含む患者情報を取得し、取得した患者情報の表示を制御するようにした場合には、患者の情報を表示することができる。また、患者の薬に関する情報を、簡単かつ確実に知ることができる。
【０１５５】
なお、複数の病院で診察券１３を共有するようにすることにより、患者は、複数の病院の診察券を保管したり、携帯したりする煩わしさが軽減されるとともに、病院の医師は、他の病院で患者に対して処方された情報を、簡単かつ確実に知ることができ、診察に役立てることができる。
【０１５６】
また、診察券１３を、上述したRFIDタグ等を利用した非接触式のICカードでなく、接点を接続して情報交換を行う接触式のＩＣカードにより構成させるようにしてもよい。
【０１５７】
上述した一連の処理は、ハードウェアにより実行させることもできるし、ソフトウェアにより実行させることもできる。一連の処理をソフトウェアにより実行させる場合には、例えば、上述したように、そのソフトウェアを構成するプログラムが、図２のパーソナルコンピュータ１１に、ネットワークや記録媒体からインストールされる。
【０１５８】
コンピュータにインストールされ、コンピュータによって実行可能な状態とされるプログラムを記録する記録媒体は、図２に示されるように、装置本体とは別に、ユーザにプログラムを提供するために配布される、プログラムが記録されている磁気ディスク（フレキシブルディスクを含む）、光ディスク（CD-ROM（Compact Disc-Read Only Memory）、DVD(Digital Versatile Disc)を含む）、光磁気ディスク（MD(Mini-Disc)（登録商標）を含む）、もしくは半導体メモリなどよりなるリムーバブルメディア３１により構成されるだけでなく、装置本体に予め組み込まれた状態でユーザに提供される、プログラムが記録されているROM２３または記録部２６に含まれるハードディスクなどで構成される。
【０１５９】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１６０】
また、本明細書において、システムとは、複数の装置により構成される装置全体を表わすものである。
【図面の簡単な説明】
【０１６１】
【図１】本発明を適用した診察券（医療情報記憶装置）、および診察券管理装置（医療情報処理装置）の構成例を示すブロック図である。
【図２】図１の診察券管理装置（医療情報処理装置）のパーソナルコンピュータの構成例を示すブロック図である。
【図３】図１の診察券管理装置（医療情報処理装置）のリーダライタの構成例を示すブロック図である。
【図４】図１の診察券（医療情報記憶装置）の構成例を示すブロック図である。
【図５】診察券（医療情報記憶装置）に記憶される患者情報の構成例を示す図である。
【図６】診察券管理装置（医療情報処理装置）の処理を説明するフローチャートである。
【図７】図６のステップＳ３の病院モード処理の詳細を説明するフローチャートである。
【図８】図７のステップＳ１１のデータ読み出し処理の詳細を説明するフローチャートである。
【図９】図８のデータ読み出し処理に対応して実行される診察券（医療情報記憶装置）のデータ送信処理を説明するフローチャートである。
【図１０】図７のステップＳ２０のデータ書き込み処理の詳細を説明するフローチャートである。
【図１１】図１０のデータ書き込み処理に対応して実行される診察券（医療情報記憶装置）のデータ受信処理を説明するフローチャートである。
【図１２】図６のステップＳ４の薬局モード処理の詳細を説明するフローチャートである。
【図１３】図６のステップＳ４の薬局モード処理の詳細を説明するフローチャートである。
【符号の説明】
【０１６２】
１  診察券管理装置
１１  パーソナルコンピュータ
１２  リーダライタ
１３  診察券  
２２  ＣＰＵ
２５  表示部
４１  ＣＰＵ
４４  アンテナ
６１  ＩＣ
６２  アンテナ
７１  変復調部
７２  ＣＰＵ
７３  EEPROM
【図１】
2005266860.tif 000003
【図２】
2005266860.tif 000004
【図３】
2005266860.tif 000005
【図４】
2005266860.tif 000006
【図５】
2005266860.tif 000007
【図６】
2005266860.tif 000008
【図７】
2005266860.tif 000009
【図８】
2005266860.tif 000010
【図９】
2005266860.tif 000011
【図１０】
2005266860.tif 000012
【図１１】
2005266860.tif 000013
【図１２】
2005266860.tif 000014
【図１３】
2005266860.tif 000015